(57)【要約】【課題】インレイ線材を目立たないようにベース編目列に挿入できる編地の編成方法を提供する。【解決手段】一方の針床に係止されるベース編目列２０の少なくとも一部を第一領域ＲＨと設定し、第一領域ＲＨを複数の編目によるＮ個のグループに分ける。Ｎ個のグループのうち、一つのグループＸを選択し、第一領域ＲＨ内における少なくともグループＸ以外の全ての編目を他方の針床に係止された状態としてから、グループＸの編目のウエール方向に続けて、分割編目列２１を構成する新規編目列４を編成する（工程Ａ）。新規編目列４が一方の針床に係止され、新規編目列４以外の編目が他方の針床に係止された状態としてからインレイ線材３を供給する（工程Ｂ）。グループＸ以外の各グループにも、工程Ａおよび工程Ｂと同様の編成を繰り返す（工程Ｃ）。【選択図】図３
2018003176.tif 000002
【特許請求の範囲】
【請求項１】
対向する前針床と後針床を備える横編機を用いて、ウエール方向に連続する複数段のベース編目列で構成されたベース部を編成すると共に、前記ベース編目列の全幅にわたって前記ベース編目列の編目の間にインレイ線材を挟み込む編地の編成方法において、
前記ベース編目列のウエール方向に対し、編目の形成位置をコース方向にずらしたＮ個の分割編目列で新たなベース編目列を形成し、前記新たなベース編目列に前記インレイ線材を挟み込むにあたり、一方の針床に係止される前記ベース編目列の少なくとも一部を第一領域と設定し、前記第一領域を複数の編目によるＮ個のグループに分け、
前記Ｎ個のグループのうち、一つのグループＸを選択し、前記第一領域内における少なくとも前記グループＸ以外の全ての編目を他方の針床に係止された状態としてから、前記グループＸの編目のウエール方向に続けて、前記分割編目列を構成する新規編目列を編成する工程Ａと、
前記新規編目列が前記一方の針床に係止され、前記新規編目列以外の編目が前記他方の針床に係止された状態としてから、前記一方の針床と前記他方の針床の間に前記インレイ線材を供給する工程Ｂと、
前記グループＸ以外の各グループにも、前記工程Ａおよび前記工程Ｂと同様の編成を繰り返す工程Ｃと、を行なう編地の編成方法。
【請求項２】
前記Ｎは２で、一方のグループの編目と他方のグループの編目とが交互に１目ずつ並ぶようにグループ分けをする請求項１に記載の編地の編成方法。
【請求項３】
前記新規編目列を、前記他方の針床で編成される裏目とする請求項１または請求項２に記載の編地の編成方法。
【請求項４】
前記ベース部を筒状に編成する請求項１から請求項３のいずれか１項に記載の編地の編成方法。
【請求項５】
ウエール方向に連続する複数段のベース編目列で構成されたベース部と、前記ベース編目列の全幅にわたって前記ベース編目列の編目の間に挟み込まれたインレイ線材と、を備える編地において、
前記ベース編目列が、編目の形成位置がコース方向にズレている複数の編成コースで編成された複数の分割編目列で構成され、かつ各分割編目列に沿って前記インレイ線材が挿入されており、
前記インレイ線材のうち、前記ベース部の表面側に配置される表面側部分が、前記表面側部分のさらに表面側に配置される前記分割編目列のシンカーループで隠される第一領域を備える編地。
【発明の詳細な説明】
【技術分野】
【０００１】
本発明は、ベース編地部にインレイ線材を挿通する編地の編成方法、およびインレイ線材を挿通した編地に関する。
【背景技術】
【０００２】
織物に比べて編地は縦横に伸び易く、通常はこの性質を活かすように編地が用いられる。しかし、編地であっても縦横に伸び難く、一定の形状を保つことが要求される場合もある。例えば、特許文献１，２などに示されるように、編地の本体となるベース部を構成するベース編目列にインレイ糸（インレイ線材）を挿通することで、編地の横方向（コース方向）の伸びを抑えた編地とすることが挙げられる。
【先行技術文献】
【特許文献】
【０００３】
【特許文献１】特開昭６０−１９９９５３号公報
【特許文献２】特開２００７−２７７７３８号公報
【発明の概要】
【発明が解決しようとする課題】
【０００４】
インレイ線材は、前後の針床にベース編目列の編目を振り分け、その振り分けられた編目の間に挟み込むことで、ベース編目列に挿入される。そのため、インレイ線材は、ベース編目列の編目を縫う様に編目の前後に配置されるので、インレイ線材の一部が編地の表側（使用時に表となる側）に露出する。しかし、インレイ線材で編地の伸びを適度に抑制しつつ、編地の表側に露出するインレイ線材を目立たなくしたいというニーズもある。
【０００５】
本発明は上記事情に鑑みてなされたものであり、本発明の目的の一つは、インレイ線材を目立たないようにベース編目列に挿入できる編地の編成方法を提供することにある。本発明の別の目的の一つは、編地の伸びを抑制するインレイ線材が目立たないように配置された編地を提供することにある。
【課題を解決するための手段】
【０００６】
本発明の編地の編成方法は、対向する前針床と後針床を備える横編機を用いて、ウエール方向に連続する複数段のベース編目列で構成されたベース部を編成すると共に、前記ベース編目列の全幅にわたって前記ベース編目列の編目の間にインレイ線材を挟み込む編地の編成方法である。この編地の編成方法では、前記ベース編目列のウエール方向に対し、編目の形成位置をコース方向にずらしたＮ個の分割編目列で新たなベース編目列を形成し、前記新たなベース編目列に前記インレイ線材を挟み込むにあたり、一方の針床に係止される前記ベース編目列の少なくとも一部を第一領域と設定し、前記第一領域を複数の編目によるＮ個のグループに分け、下記工程Ａ〜工程Ｃを行なう。
・前記Ｎ個のグループのうち、一つのグループＸを選択し、前記第一領域内における少なくとも前記グループＸ以外の全ての編目を他方の針床に係止された状態としてから、前記グループＸの編目のウエール方向に続けて、前記分割編目列を構成する新規編目列を編成する工程Ａ。
・前記新規編目列が前記一方の針床に係止され、前記新規編目列以外の編目が前記他方の針床に係止された状態としてから、前記一方の針床と前記他方の針床の間に前記インレイ線材を供給する工程Ｂ。
・前記グループＸ以外の各グループにも、前記工程Ａおよび前記工程Ｂと同様の編成を繰り返す工程Ｃ。
【０００７】
ここで、Ｎは２以上の任意の自然数であり、従って工程Ａ，Ｂの繰り返し数はＮ回となる。例えば、Ｎ＝２、即ち第一領域の編目をグループＰ１，Ｐ２に分ける場合、１回目の工程Ａでは、グループＰ２の編目を他方の針床に係止させた状態でグループＰ１（グループＸ）の編目のウエール方向に続く新規編目列を編成し、２回目の工程Ａでは、１回目の工程Ａで編成した新規編目列を他方の針床に係止させた状態でグループＰ２の編目のウエール方向に続く新規編目列を編成する。また、Ｎ＝３、即ち第一領域をグループＰ１，Ｐ２，Ｐ３に分ける場合、１回目の工程Ａでは、グループＰ２，Ｐ３の編目を他方の針床に係止させた状態でグループＰ１の編目のウエール方向に続く新規編目列を編成し、２回目の工程Ａでは、グループＰ２以外の編目（１回目の工程Ａで編成した新規編目列とグループＰ３の編目）を他方の針床に係止させた状態でグループＰ２の編目のウエール方向に続く新規編目列を編成する。そして、３回目の工程Ａでは、グループＰ３以外の編目（１回目と２回目の工程Ａで編成した二つの新規編目列）を他方の針床に係止させた状態でグループＰ３の編目のウエール方向に続く新規編目列を編成する。Ｎが４以上の場合も、同様の考え方に基づいて工程Ａ〜工程Ｃを繰り返せば良い。
【０００８】
本発明の編地の編成方法の一形態として、前記Ｎは２で、一方のグループの編目と他方のグループの編目とが交互に１目ずつ並ぶようにグループ分けをする形態を挙げることができる。
【０００９】
本発明の編地の編成方法の一形態として、前記新規編目列を、前記他方の針床で編成される裏目とする形態を挙げることができる。
【００１０】
本発明の編地の編成方法の一形態として、前記ベース部を筒状に編成する形態を挙げることができる。
【００１１】
上記本発明の編地の編成方法において、前記第一領域以外の部分は、以下に示すように編成することができる。
一方の針床に係止される前記ベース編目列のうち、前記第一領域以外を第二領域と設定し、前記第二領域内を複数の編目によるＮ個のグループに分け、下記工程Ｄ〜工程Ｆを行なう。
・前記Ｎ個のグループのうち、一つのグループＹを選択し、前記第二領域内における少なくとも前記グループＹ以外の全ての編目を前記一方の針床に係止された状態としてから、前記グループＹの編目のウエール方向に続けて、前記分割編目列を構成する第二領域の新規編目列を編成する工程Ｄ。
・前記第二領域の新規編目列が前記他方の針床に係止され、前記新規編目列以外の編目が前記一方の針床に係止された状態としてから、前記一方の針床と前記他方の針床の間に前記インレイ線材を供給する工程Ｅ。
・前記グループＹ以外の各グループにも前記工程Ｄおよび前記工程Ｅと同様の編成を繰り返す工程Ｆ。
ここで、工程Ｄおよび工程Ｅはそれぞれ、工程Ａおよび工程Ｂと同一の編成動作で一度に行なうことができる。
【００１２】
本発明の編地は、ウエール方向に連続する複数段のベース編目列で構成されたベース部と、前記ベース編目列の全幅にわたって前記ベース編目列の編目の間に挟み込まれたインレイ線材と、を備える編地である。この編地では、前記ベース編目列が、編目の形成位置がコース方向にズレている複数の編成コースで編成された複数の分割編目列で構成され、かつ各分割編目列に沿って前記インレイ線材が挿入されている。この編地は、前記インレイ線材のうち、前記ベース部の表面側に配置される表面側部分が、前記表面側部分のさらに表面側に配置される前記分割編目列のシンカーループで隠される第一領域を備える。
【００１３】
ここで、各編成コースの編目の形成位置をコース方向にズラすことで、ある分割編目列の編目の形成位置は、コース方向に他の分割編目列の編目と重複しないようになっている。
【発明の効果】
【００１４】
上記編地の編成方法によれば、本発明の編地を編成することができる。本発明の編地では、インレイ線材のうち、ベース部の表面側に配置される表面側部分が、表面側部分のさらに表面側に配置される分割編目列のシンカーループで隠される第一領域を備えており、その第一領域ではインレイ線材がベース部の表面から非常に見え難くなっている。また、本発明の編地では、ベース部を構成するベース編目列が複数の分割編目列で構成され、かつ各分割編目列に沿ってインレイ線材が挿入されており、各インレイ糸がベース編目列の編目を前後交互に通過しながらベース編目列の各編目のシンカーループに挟み込まれた状態となっている。そのため、インレイ線材によってベース編目列の編目間で編糸の移動が規制され、編目が変形し難くなり、編地の縦横方向の伸縮が抑制される。
【００１５】
ベース部の全体に第一領域を設定する場合、インレイ線材によって縦横に伸び難くなっていながらも、インレイ線材を用いずに編成した編地のような見た目の編地となる。また、ベース部の一部に第一領域を設定する場合、第一領域と第一領域以外の領域との見た目の相違によってベース部の表面に柄を形成することができる。
【００１６】
一つ置きの編目からなる二つのグループに分けることで、編地の表面側に配置されるインレイ線材の糸長を短くできるので、インレイ線材が分割編目列のシンカーループで隠され易い。
【００１７】
本発明の編地の編成方法において新規編目列（分割編目列の一部）を裏目とすることで、第一領域におけるインレイ線材の露出を抑制し易くなる。裏目は、編地の表面側から裏面側に向って旧編目から引き出されるので、インレイ線材を隠す新規編目列のシンカーループは編地の表面側に配置される。そのため、新規編目列を裏目とすることで、シンカーループがインレイ線材よりも編地の表面側に配置された状態が維持され易く、第一領域におけるインレイ線材の露出を抑制し易くなる。
【００１８】
ベース部を筒状に編成することで、筒の全周にわたって伸縮が抑制された編地を編成することができる。
【図面の簡単な説明】
【００１９】
【図１】実施形態に係る編地の写真を示す図である。
【図２】実施形態に係る編地のループ図である。
【図３】実施形態に係る編地の編成工程図である。
【発明を実施するための形態】
【００２０】
＜実施形態１＞
≪編地≫
図１に示す編地は、前後に対向する一方の針床および他方の針床と、それらの針床に編糸を給糸する給糸口と、インレイ線材を供給する給線口と、を備える横編機を用いて編成されたものである。図１の左右方向は編地のコース方向、上下方向は編地のウエール方向である。図１における黒色の部分はベース編糸で編成されたベース部であり、鹿の子状に見える白色の部分はベース部に編み込まれたインレイ線材である。インレイ線材は、ベース部のコース方向の全長にわたって設けられているが、図１の編地では、ベース部に編み込まれているにもかかわらずインレイ線材がベース部の表面に露出しない第一領域が形成されている。
【００２１】
図２に基づいて、第一領域ＲＨ、この第一領域ＲＨに隣接し、インレイ線材３がベース部２の表面から見える第二領域ＲＥ（図１の鹿の子状になっている部分）の編目の状態を説明する。図２では、ベース部２を構成する編糸よりもインレイ線材３を細く示している。この図２に示す大文字アルファベットＡ〜Ｈは、後述する図３の編成工程図における編針の位置に対応している。
【００２２】
この図２に示すように、編地１は、ウエール方向に連続する複数段のベース編目列２０で構成されたベース部２と、ベース編目列２０の全幅にわたってベース編目列２０の編目の間に挟み込まれたインレイ線材３と、を備える。ベース編目列２０が複数の分割編目列２１，２２で構成され、かつ各分割編目列２１，２２に沿ってインレイ線材３が挿入されている。
【００２３】
図２の編地１のうち、第一領域ＲＨでは、インレイ線材３のうち、ベース部２の表面側に配置される表面側部分３１が、表面側部分３１のさらに表面側に配置される分割編目列２１，２２のシンカーループ２１ｓ，２２ｓで隠されている。そのため、第一領域ＲＨでは、ベース部２にインレイ線材３が挿入されているにもかかわらず、インレイ線材３がベース部２の表面から殆ど見えない状態になっている（図１参照）。
【００２４】
一方、編地１の第二領域ＲＥでは、インレイ線材３のうち、ベース部２の表面側に配置される表面側部分３１が、分割編目列２１，２２のシンカーループおよびニットループに覆われることなくベース部２の表面側に露出している。そのため、第二領域ＲＥでは、インレイ線材３が鹿の子状に見える（図１参照）。
【００２５】
≪編地の編成方法≫
図２に示す編地１は、２枚ベッド横編機や４枚ベッド横編機などを用いて編成することができる。以下、４枚ベッド横編機を用いて編地１を編成する例を、図３の編成工程図に基づいて説明する。
【００２６】
図３の編成工程図におけるＳ＋数字は編成工程の番号を、ＦＤは下部前針床、ＦＵは上部前針床、ＢＤは下部後針床、ＢＵは上部後針床を示す。符号８が付された三角印はベース編糸Ｙ８を給糸する給糸口、符号９が付された三角印はインレイ線材３を供給する給線口を示す。黒点は針床に備わる編針を示し、大文字アルファベットＡ〜Ｈは編針の位置を示す。図３では、図２とは逆にインレイ線材３をベース編糸Ｙ８よりも太く示している。
【００２７】
ここで、インレイ線材３は、細長く連なった部材でありさえすれば良く、その材質・形態は特に限定されない。また、インレイ線材３の形態としては、編糸、紐などを挙げることができる。インレイ線材３の太さは、給線口９から供給することができる太さであれば特に限定されない。
【００２８】
Ｓ０には、ＦＤにベース編目列２０が係止され、ＢＤにも別のベース編目列２０が係止された状態が示されている。この状態から、ＦＤ（一方の針床）に係止されるベース編目列２０の第一領域ＲＨと第二領域ＲＥの編成を行なう。まず、第一領域ＲＨを複数の編目によるＮ個のグループに分けると共に、第二領域ＲＥも複数の編目によるＮ個のグループに分ける。本例では、第一領域ＲＨ内の編目を、編針Ｅ，Ｇに係止されるグループＰ１、編針Ｆ，Ｈに係止されるグループＰ２とし、第二領域ＲＥ内の編目を、編針Ａ，Ｃに係止されるグループＱ１、編針Ｂ，Ｄに係止されるグループＱ２とし、以降の編成を行なう。
【００２９】
ここで、編目のグループ分けの仕方は特に限定されない。本例では、グループＰ１（Ｑ１）の編目とグループＰ２（Ｑ２）の編目とが交互に１目ずつ並ぶようにグループ分けしたが、例えば交互に２目ずつ並ぶようにグループ分けしても構わない。
【００３０】
Ｓ１では、第一領域ＲＨのＦＤの編針Ｅ，ＧのグループＰ１（グループＸ）の編目と、編針Ｆ，ＨのグループＰ２の編目をＢＵに移動させる（工程Ａの一部）。グループＰ１の編目の移動は必須ではなく、次のＳ２でグループＰ１のウエール方向に続く編目を裏目とするためのものである。つまり、グループＰ１の編目をＦＤに残しておいて、グループＰ１のウエール方向に続く編目を表目としても良い。グループＰ１の編目をＦＤとＢＵに振り分けて、グループＰ１のウエール方向に続く新規編目列４（後述するＳ２参照）をリブ組織としても良い。
【００３１】
ここで、Ｓ１では、第二領域ＲＥの編目を全く移動させていないが、ＦＤの編針Ｂ，ＤのグループＱ２の編目がＦＤに係止された状態（工程Ｄの一部）でありさえすれば、ＦＤの編針Ａ，ＣのグループＱ１の編目はＢＵに移動させても構わない。グループＱ１の編目をＦＤとＢＵに振り分けて、グループＱ１のウエール方向に続く新規編目列５（後述するＳ２参照）をリブ組織としても良い。
【００３２】
Ｓ２では、給糸口８を左方向に移動させ、ＢＵの編針Ｇ，Ｅに第一領域ＲＨの新規編目列４を編成する（工程Ａの残部）と共に、ＦＤの編針Ｃ，Ａに第二領域ＲＥの新規編目列５を編成する（工程Ｄの残部）。一連に編成される二つの新規編目列４，５で分割編目列２１が形成される（図２を合わせて参照）。
【００３３】
Ｓ３では、ＢＵの新規編目列４をＦＤに移動させる（工程Ｂの一部）と共に、ＦＤの新規編目列５をＢＵに移動させる（工程Ｅの一部）。
【００３４】
Ｓ４では、給線口９を右方向に移動させ、ＦＤとＢＵの間にインレイ線材３を供給する（工程Ｂの残部，工程Ｅの残部）。
【００３５】
Ｓ５では、ＢＵの編針Ａ，Ｃに係止されるグループＱ１の編目をＦＤの編針Ａ，Ｃに移動させると共に、ＢＵの編針Ｆ，Ｈに係止されるグループＰ２の編目をＦＤの編針Ｆ，Ｈに移動させる。その結果、第一領域ＲＨでは、分割編目列２１の編目の裏側（ＢＤ、ＢＵ側）にインレイ線材３が配置されると共に、グループＰ２の編目の表側（ＦＤ側）にインレイ線材３が配置され、インレイ線材３の表面側部分３１のさらに表面側に分割編目列２１のシンカーループ２１ｓが配置され、インレイ線材３がＦＤ側から見え難くなる（図２を合わせて参照）。一方、第二領域ＲＥでは、インレイ線材３の表面側部分３１はＦＤ側に露出する（図２を合わせて参照）。
【００３６】
Ｓ６では、ＦＤの編針Ｅ，ＧのグループＰ１の編目と、編針Ｆ，ＨのグループＰ２の編目をＢＵに移動させる（２回目の工程Ａの一部）。このＳ６で第二領域ＲＥの編目を動かさないことで、ＦＤの編針Ａ，ＣのグループＱ１の編目がＦＤに係止された状態（２回目の工程Ｄの一部）が維持される。
【００３７】
Ｓ７では、給糸口８を右方向に移動させ、ＢＵの編針Ｆ，Ｈに新規編目列４を編成する（２回目の工程Ａの残部）と共に、ＦＤの編針Ｂ，Ｄに新規編目列５を編成する（２回目の工程Ｄの残部）。一連に編成される二つの新規編目列４，５で分割編目列２２が形成される（図２を合わせて参照）。新規編目列４，５はリブ組織とすることもできる。
【００３８】
Ｓ８では、ＢＵの新規編目列４をＦＤに移動させる（２回目の工程Ｂの一部）と共に、ＦＤの新規編目列５をＢＵに移動させる（２回目の工程Ｅの一部）。
【００３９】
Ｓ９では、給線口９を左方向に移動させ、ＦＤとＢＵの間にインレイ線材３を供給する（２回目の工程Ｂの残部，工程Ｅの残部）。
【００４０】
Ｓ１０では、ＢＵの編針Ｂ，Ｄ，Ｅ，Ｇの編目をＦＤに移動させる。その結果、第一領域ＲＨでは、インレイ線材３の表面側部分３１のさらに表面側（ＦＤ側）に分割編目列２２のシンカーループ２２ｓが配置され、インレイ線材３がＦＤ側から見え難くなる（図２を合わせて参照）。一方、第二領域ＲＥでは、インレイ線材３の表面側部分３１はＦＤ側に露出する（図２を合わせて参照）。
【００４１】
Ｓ１０の後は、ＢＤに係止されるベース編目列２０に対して、Ｓ１〜Ｓ１０と同様の編成を行なって、ＦＤのベース編目列２０とＢＢのベース編目列２０とを筒状に繋げたベース部を形成すると良い。以上説明した編成によって、図１に示すように、第一領域ＲＨと第二領域ＲＥとの見た目の相違によって、ベース部の表面に柄を形成することができる。なお、ベース部全体に第一領域ＲＨを設定しても良い。
【００４２】
ここで、筒状のベース部を形成する場合、ＦＤ側のベース編目列２０の分割編目列２１→ＢＤ側のベース編目列２０の分割編目列２１→ＦＤ側のベース編目列２０の分割編目列２２→ＢＤ側のベース編目列２０の分割編目列２２、の順に編成することもできる。その他、Ｃ字状編成によって開き部を有するベース部を形成してから、開き部を縫合して筒状のベース部にすることもできる。その場合は、ＦＤ側のベース編目列２０の分割編目列２１→ＢＤ側のベース編目列２０の分割編目列２１→ＢＤ側のベース編目列２０の分割編目列２２→ＦＤ側のベース編目列２０の分割編目列２２、の順に編成すると良い。もちろん、ベース部は筒状に限定されるわけではなく、単層の編地であっても良い。
【００４３】
＜実施形態２＞
実施形態１では、１種類のベース編糸Ｙ８と、１種類のインレイ線材３を用いた編地の編成例を説明したが、編地の編成に使用するベース編糸Ｙ８とインレイ線材３の本数は特に限定されない。例えば、２種類のベース編糸Ｙ８と１種類のインレイ線材３を用いて編地を編成することもできる。また、ベース編糸やインレイ線材の素材を選択することで、軽量で強度に優れる編地を編成できるので、本発明の編地は、ニットウェア以外の産業資材に適用することもできる。
【符号の説明】
【００４４】
ＦＤ  下部前針床  ＦＵ  上部前針床  ＢＤ  下部後針床  ＢＵ  上部後針床
ＲＨ  第一領域    ＲＥ  第二領域
１  編地
２  ベース部    ２０  ベース編目列  ２１，２２  分割編目列
２１ｓ，２２ｓ  シンカーループ
３  インレイ線材    ３１  表面側部分
４  第一領域の新規編目列
５  第二領域の新規編目列
８  給糸口    Ｙ８  ベース編糸
９  給線口
【図１】
2018003176.tif 000003
【図２】
2018003176.tif 000004
【図３】
2018003176.tif 000005